(57)【要約】【課題】搬入・搬出及び保管時に於ける境界表示柵の嵩み、境界表示柵の構築及び解体の低作業性、及び境界表示柵の中心をなすテープ紛失性の各改良。【解決手段】錐体２と、該錐体２の頭部１０に被せるキャップ３と、該キャップ３と錐体２とを連結するテープ４とを有し、前記錐体には、キャップを被せた状態の錐体を挿入できる中空部９が設けてある。このため、キャップ３を移動させて、隣接する錐体２−１又は元の錐体２にこれを被せるだけで、テープ４を移動させることが出来、境界表示柵５の構築・解体が迅速に出来る。又錐体２からキャップ３やテープ４が分散するのを防止することが出来る。更に、錐体２にキャップ３を被せた状態にして、且つ錐体２、２−１間にテープ４を挟む、錐体２、２−１の重ね置きが出来るので、境界表示柵５全体のコンパクト化が可能である。【選択図】  図８
2010121427.tif 000002
【特許請求の範囲】
【請求項１】
複数立設した各錐体間を連結部材で連結して境界を表示するようにした境界表示柵に於いて、
前記錐体に、底面を開口端とし頂部近傍位置に至るまでの中空部を形成し、
前記連結部材を柔軟な帯状体とし、
該帯状体の一端を前記錐体に連結すると共に、他端を前記錐体に係止可能な係止具と連結し、
且つ前記中空部を介して前記錐体を重ね置きする該錐体間の空隙に、前記帯状体の少なくも一部と、前記係止具とを格納するようにした境界表示柵。
【請求項２】
前記係止具が、リング状体である請求項１記載の境界表示柵。
【請求項３】
前記係止具が、キャップである請求項１記載の境界表示柵。
【請求項４】
前記係止具に、前記各錐体間を連結した前記帯状体の逃げとなる切り欠きを形成した請求項１記載の境界表示柵。
【発明の詳細な説明】
【技術分野】
【０００１】
本発明は、例えば工事現場等に於ける危険領域への進入を防止したり、通行人や通行車両等の進行の案内をするのに供される境界表示柵に関する。
【背景技術】
【０００２】
従来この種の境界表示柵は、相互に離隔されて設置されるコーンと呼ばれる「境界表示柵用支柱」と、離隔して設置された該「境界表示柵用支柱」間に掛け渡されるコーンバー等と呼ばれる「棒状体」とから構成されるものであった。
【０００３】
そして、上記境界表示柵の「境界表示柵用支柱」は、通行人等に其の存在を認識させるためと、其の安定した敷設のため、全体としてコンパクトにすることができなかった。他方、残る上記「棒状体」は、太さ約３５ミリメートルにして、長さ約２メートルにも及び、両者共に嵩張るものであった。
【０００４】
これら両者の嵩張りは、境界表示柵の搬出及び搬入のコストを押し上げるものであり、殊に大規模な境界表示柵を必要とする工事現場等では、無視できないコストであった。
【０００５】
これらのコスト引き下げのため、「棒状体」の代わりに両端にリングを備えた紐状体を用意し、夫々のリングを各々の「境界表示柵用支柱」に嵌め込み、境界表示柵を構築する技術が提供されている。
【０００６】
しかし乍、この紐状体の場合、コンパクトにするという目的には適うものの、コンパクトが故に、工事現場や保管時に於ける紛失が大きな問題であった。
【０００７】
この問題を解決する技術として、「境界表示柵用支柱」に対し紐状体をバネの作用により出し入れ可能に連結した技術も提供されている。
【０００８】
このバネ作用により紐状体を出し入れするようにした技術にあっては、バネ作用による紐状体の出し入れの長さには大きな限界があった。
【０００９】
この欠点を解消する技術として「境界表示柵用支柱」に、紐状体を出し入れするための手動式巻き取り装置を内蔵するものが提供されている。
【００１０】
この技術の場合、紐状体を出し入れするための手動式巻取り装置が「境界表示柵用支柱」に内蔵されているため、「境界表示柵用支柱」の重ね置きが出来ず、搬出・搬入のためのコストを高めるものであった。
【００１１】
更に、この技術に於いては紐状体を巻き取る際、回動操作ハンドルの操作を行う必要があり、現場作業としては煩雑であり受容れられ難いものであった。
【００１２】
又、これらの技術の場合、構造が複雑故、「境界標示柵用支柱」それ自体のコスト高も避けられないものであった。
【特許文献１】特開平１０−３３１１２３号公報
【特許文献２】特開平１１−２９９１２号公報
【特許文献３】特開２００４−１６９４２５号公報
【発明の開示】
【発明が解決しようとする課題】
【００１３】
解決しようとする問題点は、保管・搬入・搬出時に於ける境界表示柵全体としての嵩張りと、境界表示柵の構築及び解体の低作業性の点にある。そして、境界表示柵の主要部を成す棒状体のコンパクト化を目指して提供されたテープの紛失性にある。更に、境界表示柵全体としての製造コスト高の点にある。
【課題を解決するための手段】
【００１４】
本発明の目的は、上記課題を解消した境界表示柵の提供にあり、請求項１の手段は、
「複数立設した各錐体間を連結部材で連結して境界を表示するようにした境界表示柵に於いて、
前記錐体に、底面を開口端とし頂部近傍位置に至るまでの中空部を形成し、
前記連結部材を柔軟な帯状体とし、
該帯状体の一端を前記錐体に連結すると共に、他端を前記錐体に係止可能な係止具と連結し、
且つ前記中空部を介して前記錐体を重ね置きする該錐体間の空隙に、前記帯状体の少なくも一部と、前記係止具とを格納するようにした境界表示柵。」
にある。
【００１５】
請求項２の手段は、
「前記係止具が、リング状体である請求項１記載の境界表示柵。」
にある。
【００１６】
請求項３の手段は、
「前記係止具が、キャップである請求項１記載の境界表示柵。」
にある。
【００１７】
請求項４の手段は、
「前記係止具に、前記各錐体間を連結した前記帯状体の逃げとなる切り欠きを形成した請求項１記載の境界表示柵。」
にある。
【発明の効果】
【００１８】
請求項１記載の境界表示柵は、次の効果を有す。
即ち、最初の錐体から係止具を外し、帯状体を錐体に巻き付けている場合は、巻き付け
を解いた後に、巻き付けていない場合は直接、これを所定の間隔で立設してある隣の錐
体に移動して係止するだけで、最初の錐体と隣の錐体間に帯状体を張り巡らすことが出
来る。そして、これを繰り返すことにより、所望の規模の境界表示柵を容易に構築する
ことが出来る。
【００１９】
又、構築された境界表示柵の解体は、隣の錐体に係止された係止具を、外して元の錐体位置に移動し、帯状体を元の錐体に巻き付け後、或いは巻き付けを経ずに直接元の錐体に係止するという簡単な作業で達成される。
【００２０】
その上、この様に簡単に解体された境界表示柵に於ける錐体は、其の中空部を介した、重ね置きが可能であり、この重ね置きした錐体の中、最上階の錐体に連結した帯状体及び該帯状体を介して連結した係止具を除く、全ての係止具及び帯状体に於ける、係止具及び少なくも帯状体の一部を、錐体間の空隙に格納することができる。従って、搬出、搬入及び格納に利する境界表示柵のコンパクト化を実現することが出来る。
【００２１】
更に、錐体、帯状体及び係止具は、帯状体で連結されているので分散することがなく、
帯状体や係止具の紛失の危惧も無く、境界表示柵の管理保管が容易になる。この事は、
殊に粗雑に扱われがちな工事現場に於いて最も必要とされる事項である。
【００２２】
そして、この境界表示柵は、其の構造が極めて簡単であるため、これを安価に提供することが出来る。
【００２３】
請求項２記載の境界表示柵は、次の効果を有す。
即ち、最初の錐体からリング状体を外し、帯状体を錐体に巻き付けている場合は、巻き
付けを解いた後に、巻き付けていない場合は直接、これを所定の間隔で立設してある隣
の錐体に移動して嵌合するだけで、最初の錐体と隣の錐体間に帯状体を張り巡らすこと
が出来る。そして、これを繰り返すことにより、所望の規模の境界表示柵を容易に構築
することが出来る。
【００２４】
又、構築された境界表示柵の解体は、隣の錐体に嵌合されたリング状体を、外して元の錐体位置に移動し、帯状体を元の錐体に巻き付け後、或いは巻き付けを経ずに直接元の錐体に係止するという簡単な作業で達成される。
【００２５】
その上、この様に簡単に解体された境界表示柵に於ける錐体は、其の中空部を介した、重ね置きが可能であり、この重ね置きした錐体の中、最上階の錐体に連結した帯状体及び該帯状体を介して連結したリング状体を除く、全てのリング状体及び帯状体に於ける、リング状体及び少なくも帯状体の一部を、錐体間の空隙に格納することができる。従って、搬出、搬入及び格納に利する境界表示柵のコンパクト化を実現することが出来る。
【００２６】
更に、錐体、帯状体及びリング状体は、帯状体で連結されているので分散することがな
く、帯状体やリング状体の紛失の危惧も無く、境界表示柵の管理保管が容易になる。こ
の事は、殊に粗雑に扱われがちな工事現場に於いて最も必要とされる事項である。
【００２７】
又、リング状体の上端から錐体の頭部を露出させることが出来るので、該頭部を敷設者
が掴み、錐体、帯状体及びリング状体を一体的に容易に移動させることが出来る。
【００２８】
そして、この境界表示柵は、其の構造が極めて簡単であるため、これを安価に提供することが出来る。
【００２９】
請求項３記載の境界表示柵は、次の効果を有す。
即ち、最初の錐体からキャップを外し、錐体に帯状体を巻き付けている場合は、
巻き付けを解いた後に、巻き付けていない場合は直接、これを所定の間隔で立設してあ
る隣の錐体に移動して嵌合するだけで、最初の錐体と隣の錐体間に帯状体を張り巡らす
ことが出来る。そして、これを繰り返すことにより、所望の規模の境界表示柵を容易に
構築することが出来る。
【００３０】
又、構築された境界表示柵の解体は、隣の錐体に嵌合されたキャップを、外して元の錐体位置に移動し、帯状体を元の錐体に巻き付け後、或いは巻き付けを経ずに直接元の錐体に嵌合するという簡単な作業で達成される。
【００３１】
その上、この様に簡単に解体された境界表示柵に於ける錐体は、其の中空部を介した、重ね置きが可能であり、この重ね置きした錐体の中、最上階の錐体に連結した帯状体及び該帯状体を介して連結したキャップを除く、全てのキャップ及び帯状体に於ける、キャップ及び少なくも帯状体の一部を、錐体間の空隙に格納することができる。従って、搬出、搬入及び格納に利する境界表示柵のコンパクト化を実現することが出来る。
【００３２】
更に、錐体、帯状体及びキャップは、帯状体で連結されているので分散することがな
く、帯状体やキャップの紛失の危惧も無く、境界表示柵の管理保管が容易になる。こ
の事は、殊に粗雑に扱われがちな工事現場に於いて最も必要とされる事項である。
【００３３】
又、キャップを錐体頭部に嵌合可能にしてあるので、敷設時に帯状体が長すぎるような
場合、其の嵌合する孔に対し、長すぎる分の帯状体を詰め込むことにより、帯状体の長
さ調整が出来る。
【００３４】
そして、この境界表示柵は、其の構造が極めて簡単であるため、これを安価に提供することが出来る。
【００３５】
請求項４記載の境界表示柵の場合、前期請求項１の効果に加えて、更に次の効果を有す。
即ち、係止具に帯状体の逃げとなる切り欠きを形成してあるので、錐体間に対する帯状体の架設・非架設に拘わらず、係止具を常に錐体の所定位置に係止することが出来る。
又、錐体に係止具が係止された状態にあっても、帯状体を係止具の影響無しに、常に錐体の設置面と平行な状態において張り巡らすことが出来る。因って、境界表示柵全体を、均整が取れ意匠的に優れ状態に敷設することが出来る。
【発明を実施するための最良の形態】
【００３６】
以下本発明に係わる第一の実施例の構成を、図１〜図１０に従い詳細に説明する。図１に示す、単位境界表示柵１は、大略的には錐体２と、該錐体２と係止たる嵌合をするキャップ３、及び柔軟な帯状体たるテープ４とから成る。
【００３７】
そして、上記の単位境界表示柵１を、敷設する工事現場の規模に応じて複数組み合わせて、図７及び図８に示す如く境界表示柵５を構成するものである。
【００３８】
前記錐体２には、図１に示す如く其の底面６を開口端７とし、頂部８近傍位置に至るまでの中空部９を形成してある。
【００３９】
この中空部９は、外形が略同形状である他の錐体を、前記頂部８近傍位置に至る迄進入させることを許容する形状に形成してある。
【００４０】
そして、この中空部９は、前記図１に示す単位境界表示柵１を複数使用して敷設した図８に示す境界表示柵５を解体して、図９に示す如く単位境界表示柵１の重ね置きを可能にするためのものである。
【００４１】
又、前記キャップ３には、図１及び図５に示す如く、錐体２の頭部１０との嵌合を可能にする形状の、嵌合孔１１が形成してあると共に、切り欠き１２が形成してある。
【００４２】
この切欠き１２は、後述する二番目の単位境界表示柵の錐体から張り巡らされるテープからの、キャップ３の逃げを目的に形成されたものである。
【００４３】
前記テープ４は、其の一端１３を図４に示す如く固定金具１４により錐体２に連結してある。又、テープ４の他端１５は、図５及び図６に示す如く、前記一端１３側と同様に、固定金具１６によりキャップ３と連結してある。
【００４４】
この様に、テープ４の各端１３及び１５は、夫々固定具１４及び１６により錐体２及びキャップ３の各内側に各々連結してある。
【００４５】
しかし、図１、図４及び図５に示す如く、テープ４の殆どの部分は、導通孔１７及び１８を介して、錐体２及びキャップ３の外側に導出させてある。
【００４６】
１９は、錐体２の基部であり、これは錐体２を安定した状態で立設出来る大きさに設定してある。
【００４７】
如上の如く、単位境界表示柵１は、大略的には錐体２と、該錐体２と「係止」たる嵌合をするキャップ３、及び柔軟な帯状体たるテープ４とから構成されるものである。
【００４８】
そして、図８に示す境界表示柵５は、この様な単位境界表示柵１を複数用いて、構築されると共に、この構築が図１乃至図３の単位境界表示柵１に解体され、且つ保管又は搬送のため、図９及び図１０に示す如く重ね置きされるものである。
【００４９】
尚、最初の単位境界表示柵１と、これに続く二番目以降の単位境界表示柵とを、説明上識別する必要があるので、二番目以降の単位境界表示柵の各部には、最初の単位境界表示柵１の各部を示す記号に−１、−２、・・・・−nを付して其の構成の説明を省略する。
【００５０】
図１０に於ける２０は、多用途錐体である。これは錐体２の中空部９及び頭部１０と同様の中空部２０Y及び頭部２０Zを備えている等、キャップ３及びキャップ３を連結させたテープ４との関連を有しないところ以外、前記錐体２の構成と同様であるため其の構成の説明を省略する。
【００５１】
尚、図９及び図１０に於ける２１は、帯状体たるテープ４と、係止具たるキャップ３が格納される錐体間の空隙を示す。
【００５２】
図９に於ける２２はウエートであり、これは単位境界表示柵１、１−１、１−２、１−３・・・１−nを転倒し難くするため、各基部１９、１９−１、１９−２、１９−３・・・１９−nに載置される。
【００５３】
２３は単位境界表示柵１、１−１、１−２、１−３・・・１−nを重ね置きした際に形成される、ウエート２２を格納するためのウエートスペースである。
【００５４】
又、図７及び図８に於ける２４は、境界表示柵５を敷設するための設置面である。
【００５５】
尚、図８に示す如く張り巡らした状態の各テープ４、４−１、４−２、４−３、・・・４−ｎは、設置面２４からの高さが全て同一のＨになるよう、錐体２，２−１、２−２、２−３、・・・２−ｎ及びこれらに嵌合されるキャップ３、３−１、３−２、３−３、・・・３−ｎに各々連結してある。
【００５６】
又、前記切り欠き１２、１２−１、１２−２、１２−３、・・・１２−ｎは、張り巡らしたテープ４、４−１、４−２、４−３、・・・４−ｎの前記高さＨが確保されるに充分な逃げの大きさに形成してある。
【００５７】
次に、本発明に係わる第二の実施例の構成を、図１１に従い説明する。
【００５８】
第二の実施例が、第一の実施例と異なるところは、キャップ３に代えてリング状体たる環体２５を用いた点のみである。
【００５９】
従って、第一の実施例に於けるキャップ３の各部に対応する第二の実施例の環体２５の各部には、キャップ３各部の記号に−aを付し、其の構成の説明を省略する。
【００６０】
又、環体２５以外の各部については、第一の実施例に於ける各部の記号を付して其の構成の説明を省略する。
【００６１】
以下本発明に係る第一の実施例の作用を、図１乃至図１０に従い詳細に説明する。
境界表示柵５を敷設するには、図７に示す如く敷設すべき設置面２４に、所定間隔で単位境界表示柵１，１−１、１−２、・・・・１−nを、所要数配置する。
【００６２】
次に、敷設された二番目の単位境界表示柵１−１に於けるキャップ３−１を錐体２−１から外すと共に、単位境界表示柵１−１近傍に仮置きする。
【００６３】
次いで、敷設された最初の単位境界表示柵１に於ける錐体２からキャップ３を、外すと共に、これを二番目の単位境界表示柵１−１方向に移動し、前記でキャップ３−１が外されている錐体２―１の頭部１０−１に嵌合させる。
【００６４】
ところで、前記の如くテープ４、４−１、４−２、４−３、・・・・４−ｎの一端１３は、錐体２、２−１、２−２、２−３、・・・・２−ｎに、又他端１５、１５−１、１５−２、１５−３、・・・・１５−ｎは、キャップ３，３−１、３−２、３−３、・・・・３−ｎに各々連結してある。
【００６５】
従って、図１に示す如く錐体２の外周に沿って垂下しているテープ４は、キャップ３に追従して一体的に移動し、図８に示す如く錐体２と、錐体２−１間に架設されることになる。
【００６６】
次いで、二番目の単位境界表示柵１−１の場合と同様、三番目の単位境界表示柵１−２に於けるキャップ３−２を、錐体２−２から外すと共に、単位境界表示柵１−２近傍に仮置きする。
【００６７】
次に、テープ４−１が、前記により錐体２−１に嵌合させてあるキャップ３の切り欠き１２を経るように、仮置きしておいたキャップ３−１を、錐体２−２方向に移動させる。
【００６８】
そして、最後にこのキャップ３−１を錐体２−２の頭部１０−２に嵌合させる。この結果、前記テープ４と同様、テープ４−１は、錐体２−１と錐体２−２間に架設される。
【００６９】
尚、テープ４、４−１、４−２、４−３、・・・４−ｎが、図２とは異なり図３に示す如く、巻きつけられている場合は、キャップ３−１、３−２、３−３、・・・３−ｎを、錐体２−１、２−２、２−３、・・・２−ｎ周りに周回させて巻き付けを解いた後に前記仮置きする。
無論、最初の錐体２の時は、テープ４の巻き付けを上記と同様の手法で解いたら、仮置きを経ず、直接錐体２−１の頭部１０−１にキャップ３を嵌合させることになる。
【００７０】
この様な過程を所要回数繰り返し、最後のキャップ３−ｎを最初の錐体２の頭部１０に嵌合し、第一の実施例に於ける境界表示柵５の敷設が完了する。
【００７１】
この完了時における各テープ４、４−１、４−２、４−３、・・・４−ｎの、設置面２４からの高さは全てＨであり、境界表示柵５全体は、均整が取れ、意匠的に優れたものになる。
【００７２】
尚、上記のような最初の錐体２の頭部１０に対し、最後の単位境界表示柵１−ｎに於けるキャップ３−ｎを嵌合させるという環状の無端敷設ではなく、直列的な有端敷設の場合は、次の敷設方法をとる。
【００７３】
即ち、設置面２４上の最後の単位境界表示柵１−nに於ける錐体２−ｎの次に、図１０に示す多用途錐体２０を立設し、該錐体２０の頭部２０Zに最後のキャップ３−nを嵌合して敷設を完了する。
【００７４】
この敷設の場合も、各テープ４、４−１、４−２、４−３、・・・４−ｎの、設置面２４からの高さは全てＨであり、境界表示柵５全体は、均整が取れ、意匠的に優れたものになる。
【００７５】
尚、上記敷設時の単位境界表示柵１、１−１、１−２、１−３、・・・１−ｎ間に架設したテープ４、４−１、４−２、４−３、・・・４−ｎの長さ調節は、其の余剰分を、キャップ３、３−１、３−２、３−３、・・・３−ｎと頭部１０、１０−１、１０−２、１０−３、・・・１０−ｎ間に生ずる嵌合孔１１、１１−１、１１−２、１１−３、・・・１１−ｎに貯留することにより調節する。
【００７６】
工事等の終了に伴い、敷設した境界表示柵５を解体するには、先の敷設とは逆の手順を辿るのであるが、単にキャップ３，３−１、３−２、３−３、・・・３−ｎの夫々を、元の頭部１０、１０−１、１０−２、１０−３、・・・１０−ｎに戻して嵌合するだけで、各単位境界表示柵１、１−１、１−２、１−３、・・・１−ｎを、図１及び、図２に示す敷設前の状態へ簡単に戻すことが出来る。
【００７７】
無論、先のキャップ３，３−１、３−２、３−３、・・・３−ｎの夫々を、元の頭部１０、１０−１、１０−２、１０−３、・・・１０−ｎに戻すという操作により、テープ４、４−１、４−２、４−３、・・・４−ｎの各々は、図７に示す如く錐体２、２−１、２−２、２−３、・・・・２−ｎの各外周に沿って垂下した状態に戻る。
【００７８】
尚、テープ４、４−１、４−２、４−３、・・・４−nの長さが大きく設定されている場合は、キャップ３、３−１、３−２、３−３、・・・３nを錐体２、２−１、２−２、２−３、・・・２−n周りに周回させて、図３に示す如く、テープ４、４−１、４−２、４−３、・・・４nを錐体２、２−１、２−２、２−３、・・・２−nに各々巻き付けてもよい。
【００７９】
このようにして、各単位境界表示柵１、１−１、１−２、１−３、・・・１−ｎを、図１、図２又は図３に示す状態に戻したら、図９及び図１０に示す如く、中空部９−１、９−２、９−３、・・・９−ｎを介し、単位境界表示柵１に単位境界表示柵１−１を、該表示柵１−１に単位境界表示柵１−２を、というように重ね置きをする。
【００８０】
この重ね置きの際、テープ４、４−１、４−２、４−３、・・・４−ｎ及びキャップ３，３−１、３−２、３−３、・・・３−ｎ、の夫々は、錐体２と錐体２−１との間、錐体２−１と錐体２−２との間、錐体２−２と錐体２−３との間、というように各錐体間の空隙２１に格納される。
【００８１】
この様に重ね置きした後、最上段に位置する最後の単位境界表示柵１−ｎには、図１０に示す如く、中空部２０Yを介して多用途錐体２０を被せる。
【００８２】
被せた多用途錐体２０は、上記最上段に位置する単位境界表示柵１−ｎに於けるテープ４−ｎの、揺動や予期せぬ引っ掛かけを防ぐ。
【００８３】
尚、上記の如く重ね置きされた単位境界表示柵１、１−１、１−２、１−３、・・・１−ｎの各基部１９、１９−１、１９−２、１９−３、・・・１９−ｎ間に形成されるウエートスペース２３には、必要に応じウエート２２を格納する。
【００８４】
次に、本発明に係わる第二の実施例の作用を、図１１に従い説明する。
環体２５は、実質的には前記第一の実施例に於けるキャップ３の上部を切除し、残る環状部分を環体２５としたものである。
【００８５】
そして、環体２５の上端から露出した錐体２の頭部１０を、敷設者が掴むことにより、単位境界表示柵１を容易に所望の場所へ移動させることが出来るようにしたものである。
【００８６】
上記以外の作用は、実施例の作用と同様であるので、其の説明を省略する。
【００８７】
尚、これまで柔軟な帯状体として、テープを使用した場合について説明した。しかし、これに限定されるものでは無く、ロープ状のものでもよい。
【００８８】
又、上記各実施例では、キャップ又は環体を、錐体に緊結するための手段を設けていない。然しながら、例えば一方の錐体の外周に凹状の溝を形成し、他方のキャップ又は環体の内周面にキャップの補強を兼ねた凸条を形成し、この両者の係合により主体とキャップとの緊結を図ってもよい。
【００８９】
更に、第一の実施例の場合、キャップ頂部から錐体頭部にまで貫通する指挿入孔を形成し、該孔に挿入した指で、単位境界表示柵を所望場所への移動させるようにしてもよい。
【産業上の利用可能性】
【００９０】
本発明に係る境界表示柵を、工事現場に適用して説明したが、これに限らず、劇場、映画館、銀行、観光地、公園その他の公共施設に於いて、これらに立ち入る者や車両の、規制及び整理の途にも適用可能である。
【図面の簡単な説明】
【００９１】
【図１】本発明の第一の実施例に於ける境界表示柵の単位境界表示柵を示す縦断面図である。
【図２】本発明の第一の実施例に於ける、単位境界表示柵のテープ配設状態を示す正面図である。
【図３】本発明の第一の実施例に於ける、単位境界表示柵の別のテープ配設状態を示す正面図である。
【図４】本発明の第一の実施例に於ける、単位境界表示柵の頭部部分を、一部切開して示す部分図である。
【図５】本発明の第一の実施例に於ける、キャップとテープの連結状態を示すための、一部切開した部分図である。
【図６】本発明の第一の実施例に於ける、キャップとテープを固定金具で連結した状態を示す部分図である。
【図７】本発明の第一の実施例に於ける、敷設前、又は重ね置き前を示す境界表示柵の全体図である。
【図８】本発明の第一の実施例に於ける、境界表示柵の一部を示す拡大部分図である。
【図９】本発明の第一の実施例に於ける、単位境界表示柵を重ね置きし、一部切開した正面図である。
【図１０】本発明の第一の実施例に於ける、単位境界表示柵を重ね置き                  し、其の一部を拡大して示す部分拡大図である。
【図１１】本発明の第二の実施例に於ける、単位境界表示柵の上方部分のみを示す部分拡大図である。
【符号の説明】
【００９２】
２、２−１、２−２、２−３、・・・２−ｎ      錐体
３、３−１、３−２、３−３、・・・３−ｎ      係止具たるキャップ
４、４−１、４−２、４−３、・・・４−ｎ      柔軟な帯状体たるテ
ープ
５、５−１、５−２、５−３、・・・５−ｎ      境界表示柵
６、６−１、６−２、６−３、・・・６−ｎ      底面
７、７−１、７−２、７−３、・・・７−ｎ      開口端
８、８−１、８−２、８−３、・・・８−ｎ      頂部
９、９−１、９−２、９−３、・・・９−ｎ      中空部
１３、１３−１、１３−２、１３−３、・・・１３−ｎ    
一端
１５、１５−１、１５−２、１５−３、・・・１５−ｎ      
他端
２１、２１−１、２１−２、２１−３、・・・２１−ｎ
空隙
２５、２５−１、２５−２、２５−３、・・・２５−ｎ      
係止具たる環体
【図１】
2010121427.tif 000003
【図２】
2010121427.tif 000004
【図３】
2010121427.tif 000005
【図４】
2010121427.tif 000006
【図５】
2010121427.tif 000007
【図６】
2010121427.tif 000008
【図７】
2010121427.tif 000009
【図８】
2010121427.tif 000010
【図９】
2010121427.tif 000011
【図１０】
2010121427.tif 000012
【図１１】
2010121427.tif 000013
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
底面の開口端から頂部近傍位置に至る中空部を形成した錐体と、
該錐体に前記底面から所定の高さで一端を連結すると共に、他端を切り欠きと前記錐体の頭部に嵌合可能な嵌合孔とを備えた係止具に連結した、柔軟な帯状体とから成り、
前記係止具への前記他端の連結は、前記錐体への前記嵌合孔を介した前記係止具の嵌合状態で、前記所定の高さとなるよう連結し、
前記切り欠きは、前記嵌合孔を介して係止具を前記錐体頭部に嵌合した状態に於いて、前記所定の高さで錐体から張り巡らされる帯状体の高さを確保し得る充分な逃げの大きさを有し、
前記中空部は、前記頂部近傍位置に至るまでの同外形の他の錐体の進入を許容する形状を成し、
且つ前記中空部を介して一方の前記錐体に他方の前記錐体を重ね置きした際の錐体間の空隙に、前記一方の錐体の頭部に嵌合させた状態の係止具と、該係止具と前記一方の錐体とを連結する前記帯状体の少なくも一部とを、格納可能にする単位境界表示柵を有し、
該単位境界表示柵を複数立設すると共に、
複数立設した隣り合う一方の単位境界表示柵の係止具を、他方の単位境界表示柵に於ける錐体の頭部に嵌合させると共に、該嵌合させた係止具の切り欠きを、前記他方の単位境界表示柵に連結された帯状体の逃げとすることにより、隣り合う錐体間に帯状体を架設して境界を表示するようにした境界表示柵。
【請求項２】
前記係止具が、リング状体である請求項１記載の境界表示柵。
【請求項３】
前記係止具が、キャップである請求項１記載の境界表示柵。
【手続補正２】
【補正対象書類名】明細書
【補正対象項目名】全文
【補正方法】変更
【補正の内容】
【発明の詳細な説明】
【技術分野】
【０００１】
本発明は、例えば工事現場等に於ける危険領域への進入を防止したり、通行人や通行車両等の進行の案内をするのに供される境界表示柵に関する。
【背景技術】
【０００２】
従来この種の境界表示柵は、相互に離隔されて設置されるコーンと呼ばれる「境界表示柵用支柱」と、離隔して設置された該「境界表示柵用支柱」間に掛け渡されるコーンバー等と呼ばれる「棒状体」とから構成されるものであった。
【０００３】
そして、上記境界表示柵の「境界表示柵用支柱」は、通行人等に其の存在を認識させるためと、其の安定した敷設のため、全体としてコンパクトにすることができなかった。他方、残る上記「棒状体」は、太さ約３５ミリメートルにして、長さ約２メートルにも及び、両者共に嵩張るものであった。
【０００４】
これら両者の嵩張りは、境界表示柵の搬出及び搬入のコストを押し上げるものであり、殊に大規模な境界表示柵を必要とする工事現場等では、無視できないコストであった。
【０００５】
これらのコスト引き下げのため、「棒状体」の代わりに両端にリングを備えた紐状体を用意し、夫々のリングを各々の「境界表示柵用支柱」に嵌め込み、境界表示柵を構築する技術が提供されている。
【０００６】
しかし乍、この紐状体の場合、コンパクトにするという目的には適うものの、コンパクトが故に、工事現場や保管時に於ける紛失が大きな問題であった。
【０００７】
この問題を解決する技術として、「境界表示柵用支柱」に対し紐状体をバネの作用により出し入れ可能に連結した技術も提供されている。
【０００８】
このバネ作用により紐状体を出し入れするようにした技術にあっては、バネ作用による紐状体の出し入れの長さには大きな限界があった。
【０００９】
この欠点を解消する技術として「境界表示柵用支柱」に、紐状体を出し入れするための手動式巻き取り装置を内蔵するものが提供されている。
【００１０】
この技術の場合、紐状体を出し入れするための手動式巻取り装置が「境界表示柵用支柱」に内蔵されているため、「境界表示柵用支柱」の重ね置きが出来ず、搬出・搬入のためのコストを高めるものであった。
【００１１】
更に、この技術に於いては紐状体を巻き取る際、回動操作ハンドルの操作を行う必要があり、現場作業としては煩雑であり受容れられ難いものであった。
【００１２】
又、これらの技術の場合、構造が複雑故、「境界標示柵用支柱」それ自体のコスト高も避けられないものであった。
【特許文献１】特開平１０−３３１１２３号公報
【特許文献２】特開平１１−２９９１２号公報
【特許文献３】特開２００４−１６９４２５号公報
【発明の開示】
【発明が解決しようとする課題】
【００１３】
解決しようとする問題点は、保管・搬入・搬出時に於ける境界表示柵全体としての嵩張りと、境界表示柵の構築及び解体の低作業性の点にある。そして、境界表示柵の主要部を成す棒状体のコンパクト化を目指して提供されたテープの紛失性にある。更に、境界表示柵全体としての製造コスト高の点にある。
【課題を解決するための手段】
【００１４】
本発明の目的は、上記課題を解消した境界表示柵の提供にあり、請求項１の手段は、
「底面の開口端から頂部近傍位置に至る中空部を形成した錐体と、
該錐体に前記底面から所定の高さで一端を連結すると共に、他端を切り欠きと前記錐体の頭部に嵌合可能な嵌合孔とを備えた係止具に連結した、柔軟な帯状体とから成り、
前記係止具への前記他端の連結は、前記錐体への前記嵌合孔を介した前記係止具の嵌合状態で、前記所定の高さとなるよう連結し、
前記切り欠きは、前記嵌合孔を介して係止具を前記錐体頭部に嵌合した状態に於いて、前記所定の高さで錐体から張り巡らされる帯状体の高さを確保し得る充分な逃げの大きさを有し、
前記中空部は、前記頂部近傍位置に至るまでの同外形の他の錐体の進入を許容する形状を成し、
且つ前記中空部を介して一方の前記錐体に他方の前記錐体を重ね置きした際の錐体間の空隙に、前記一方の錐体の頭部に嵌合させた状態の係止具と、該係止具と前記一方の錐体とを連結する前記帯状体の少なくも一部とを、格納可能にする単位境界表示柵を有し、
該単位境界表示柵を複数立設すると共に、
複数立設した隣り合う一方の単位境界表示柵の係止具を、他方の単位境界表示柵に於ける錐体の頭部に嵌合させると共に、該嵌合させた係止具の切り欠きを、前記他方の単位境界表示柵に連結された帯状体の逃げとすることにより、隣り合う錐体間に帯状体を架設して境界を表示するようにした境界表示柵。」
にある。
【００１５】
請求項２の手段は、
「前記係止具が、リング状体である請求項１記載の境界表示柵。」
にある。
【００１６】
請求項３の手段は、
「前記係止具が、キャップである請求項１記載の境界表示柵。」
にある。
【発明の効果】
【００１７】
請求項１記載の境界表示柵は、次の効果を有す。
即ち、最初の錐体から係止具を外し、帯状体を錐体に巻き付けている場合は、
巻き付けを解いた後に、巻き付けていない場合は直接、これを所定の間隔で立
設してある隣の錐体に移動して嵌合するだけで、最初の錐体と隣の錐体間に帯
状体を張り巡らすことが出来る。そして、これを繰り返すことにより、所望の
規模の境界表示柵を容易に構築することが出来る。
【００１８】
又、構築された境界表示柵の解体は、隣の錐体に嵌合された係止具を、外して元の錐体位置に移動し、帯状体を元の錐体に巻き付け後、或いは巻き付けを経ずに直接元の錐体に嵌合するという簡単な作業で達成される。
【００１９】
その上、この様に簡単に解体された境界表示柵に於ける錐体は、其の頂部近傍位置に至るまでの同外形の他の錐体の進入を許容する形状を成す中空部を介した、重ね置きが可能である。又、この重ね置きした錐体の中、最上階の錐体に連結した帯状体及び該帯状体を介して連結した係止具を除いた、全ての係止具及び帯状体に於いて少なくも帯状体の一部と、最も少ない錐体間の空隙でもっての格納が可能な、錐体頭部に嵌合した状態での係止具とを、錐体間の空隙に格納することができる。従って、搬出、搬入及び格納に利する境界表示柵のコンパクト化を実現することが出来る。
【００２０】
更に、錐体、帯状体及び係止具は、帯状体で連結されているので分散すること
がなく、帯状体や係止具の紛失の危惧も無く、境界表示柵の管理保管が容易に
なる。この事は、殊に粗雑に扱われがちな工事現場に於いて最も必要とされる
事項である。
【００２１】
そして、係止具に帯状体の逃げとなる切り欠きを形成してあるので、錐体間に対する帯状体の架設・非架設に拘わらず、係止具を常に錐体の所定位置に嵌合することが出来る。
又、錐体に係止具が嵌合された状態にあっても、帯状体を係止具の影響無しに、常に錐体の設置面と平行な状態において張り巡らすことが出来る。因って、境界表示柵全体を、均整が取れ意匠的に優れ状態に敷設することが出来る。
【００２２】
そして、この境界表示柵は、其の構造が極めて簡単であるため、これを安価に提供することが出来る。
【００２３】
請求項２記載の境界表示柵は、次の効果を有す。
即ち、最初の錐体からリング状体を外し、帯状体を錐体に巻き付けている場合
は、巻き付けを解いた後に、巻き付けていない場合は直接、これを所定の間隔
で立設してある隣の錐体に移動して嵌合するだけで、最初の錐体と隣の錐体間
に帯状体を張り巡らすことが出来る。そして、これを繰り返すことにより、所
望の規模の境界表示柵を容易に構築することが出来る。
【００２４】
又、構築された境界表示柵の解体は、隣の錐体に嵌合されたリング状体を、外して元の錐体位置に移動し、帯状体を元の錐体に巻き付け後、或いは巻き付けを経ずに直接元の錐体に嵌合するという簡単な作業で達成される。
【００２５】
その上、この様に簡単に解体された境界表示柵に於ける錐体は、其の頂部近傍位置に至るまでの同外形の他の錐体の進入を許容する形状を成す中空部を介した、重ね置きが可能である。又、この重ね置きした錐体の中、最上階の錐体に連結した帯状体及び該帯状体を介して連結したリング状体を除いた、全てのリング状体及び帯状体に於いて少なくも帯状体の一部と、最も少ない錐体間の空隙でもっての格納が可能な、錐体頭部に嵌合した状態でのリング状体とを、錐体間の空隙に格納することができる。従って、搬出、搬入及び格納に利する境界表示柵のコンパクト化を実現することが出来る。
【００２６】
更に、錐体、帯状体及びリング状体は、帯状体で連結されているので分散する
ことがな、帯状体やリング状体の紛失の危惧も無く、境界表示柵の管理保管が
容易になる。この事は、殊に粗雑に扱われがちな工事現場に於いて最も必要と
される事項である。
【００２７】
又、リング状体の上端から錐体の頭部を露出させることが出来るので、該頭部
を敷設者が掴み、錐体、帯状体及びリング状体を一体的に容易に移動させるこ
とが出来る。
【００２８】
更に、リング状体に帯状体の逃げとなる切り欠きを形成してあるので、錐体間に対する帯状体の架設・非架設に拘わらず、リング状体を常に錐体の所定位置に嵌合することが出来る。
又、錐体にリング状体が嵌合された状態にあっても、帯状体をリング状体の影響無しに、常に錐体の設置面と平行な状態において張り巡らすことが出来る。因って、境界表示柵全体を、均整が取れ意匠的に優れ状態に敷設することが出来る。
【００２９】
そして、この境界表示柵は、其の構造が極めて簡単であるため、これを安価に提供することが出来る。
【００３０】
請求項３記載の境界表示柵は、次の効果を有す。
即ち、最初の錐体からキャップを外し、錐体に帯状体を巻き付けている場合は、
巻き付けを解いた後に、巻き付けていない場合は直接、これを所定の間隔で立
設してある隣の錐体に移動して嵌合するだけで、最初の錐体と隣の錐体間に帯
状体を張り巡らすことが出来る。そして、これを繰り返すことにより、所望の
規模の境界表示柵を容易に構築することが出来る。
【００３１】
又、構築された境界表示柵の解体は、隣の錐体に嵌合されたキャップを、外して元の錐体位置に移動し、帯状体を元の錐体に巻き付け後、或いは巻き付けを経ずに直接元の錐体に嵌合するという簡単な作業で達成される。
【００３２】
その上、この様に簡単に解体された境界表示柵に於ける錐体は、其の頂部近傍位置に至るまでの同外形の他の錐体の進入を許容する形状を成す中空部を介した、重ね置きが可能である。又、この重ね置きした錐体の中、最上階の錐体に連結した帯状体及び該帯状体を介して連結したキャップを除いた、全てのキャップ及び帯状体に於いて少なくも帯状体の一部と、最も少ない錐体間の空隙でもっての格納が可能な、錐体頭部に嵌合した状態でのキャップとを、錐体間の空隙に格納することができる。従って、搬出、搬入及び格納に利する境界表示柵のコンパクト化を実現することが出来る。
【００３３】
更に、錐体、帯状体及びキャップは、帯状体で連結されているので分散するこ
とがなく、帯状体やキャップの紛失の危惧も無く、境界表示柵の管理保管が容
易になる。この事は、殊に粗雑に扱われがちな工事現場に於いて最も必要とさ
れる事項である。
【００３４】
又、キャップを錐体頭部に嵌合可能にしてあるので、敷設時に帯状体が長すぎ
るような場合、其の嵌合する孔に対し、長すぎる分の帯状体を詰め込むことに
より、帯状体の長さ調整が出来る。
【００３５】
更に、キャップに帯状体の逃げとなる切り欠きを形成してあるので、錐体間に対する帯状体の架設・非架設に拘わらず、キャップを常に錐体の所定位置に嵌合することが出来る。
又、錐体にキャップが嵌合された状態にあっても、帯状体をキャップの影響無しに、常に錐体の設置面と平行な状態において張り巡らすことが出来る。因って、境界表示柵全体を、均整が取れ意匠的に優れ状態に敷設することが出来る。
【００３６】
そして、この境界表示柵は、其の構造が極めて簡単であるため、これを安価に提供することが出来る。
【発明を実施するための最良の形態】
【００３７】
以下本発明に係わる第一の実施例の構成を、図１〜図１０に従い詳細に説明する。図１に示す、単位境界表示柵１は、大略的には錐体２と、該錐体２と嵌合をするキャップ３、及び柔軟な帯状体たるテープ４とから成る。
【００３８】
そして、上記の単位境界表示柵１を、敷設する工事現場の規模に応じて複数組み合わせて、図７及び図８に示す如く境界表示柵５を構成するものである。
【００３９】
前記錐体２には、図１に示す如く其の底面６を開口端７とし、頂部８近傍位置に至るまでの中空部９を形成してある。
【００４０】
この中空部９は、外形が略同形状である他の錐体を、前記頂部８近傍位置に至る迄進入させることを許容する形状に形成してある。
【００４１】
そして、この中空部９は、前記図１に示す単位境界表示柵１を複数使用して敷設した図８に示す境界表示柵５を解体して、図９に示す如く単位境界表示柵１の重ね置きを可能にするためのものである。
【００４２】
又、前記キャップ３には、図１及び図５に示す如く、錐体２の頭部１０との嵌合を可能にする形状の、嵌合孔１１が形成してあると共に、切り欠き１２が形成してある。
【００４３】
この切欠き１２は、後述する二番目の単位境界表示柵の錐体から張り巡らされるテープからの、キャップ３の逃げを目的に形成されたものである。
【００４４】
前記テープ４は、其の一端１３を図４に示す如く固定金具１４により錐体２に連結してある。又、テープ４の他端１５は、図５及び図６に示す如く、前記一端１３側と同様に、固定金具１６によりキャップ３と連結してある。
【００４５】
この様に、テープ４の各端１３及び１５は、夫々固定具１４及び１６により錐体２及びキャップ３の各内側に各々連結してある。
【００４６】
しかし、図１、図４及び図５に示す如く、テープ４の殆どの部分は、導通孔１７及び１８を介して、錐体２及びキャップ３の外側に導出させてある。
【００４７】
１９は、錐体２の基部であり、これは錐体２を安定した状態で立設出来る大きさに設定してある。
【００４８】
如上の如く、単位境界表示柵１は、大略的には錐体２と、該錐体２と嵌合をするキャップ３、及び柔軟な帯状体たるテープ４とから構成されるものである。
【００４９】
そして、図８に示す境界表示柵５は、この様な単位境界表示柵１を複数用いて、構築されると共に、この構築が図１乃至図３の単位境界表示柵１に解体され、且つ保管又は搬送のため、図９及び図１０に示す如く重ね置きされるものである。
【００５０】
尚、最初の単位境界表示柵１と、これに続く二番目以降の単位境界表示柵とを、説明上識別する必要があるので、二番目以降の単位境界表示柵の各部には、最初の単位境界表示柵１の各部を示す記号に−１、−２、・・・・−nを付して其の構成の説明を省略する。
【００５１】
図１０に於ける２０は、多用途錐体である。これは錐体２の中空部９及び頭部１０と同様の中空部２０Y及び頭部２０Zを備えている等、キャップ３及びキャップ３を連結させたテープ４との関連を有しないところ以外、前記錐体２の構成と同様であるため其の構成の説明を省略する。
【００５２】
尚、図９及び図１０に於ける２１は、帯状体たるテープ４と、係止具たるキャップ３が格納される錐体間の空隙を示す。
【００５３】
図９に於ける２２はウエートであり、これは単位境界表示柵１、１−１、１−２、１−３・・・１−nを転倒し難くするため、各基部１９、１９−１、１９−２、１９−３・・・１９−nに載置される。
【００５４】
２３は単位境界表示柵１、１−１、１−２、１−３・・・１−nを重ね置きした際に形成される、ウエート２２を格納するためのウエートスペースである。
【００５５】
又、図７及び図８に於ける２４は、境界表示柵５を敷設するための設置面である。
【００５６】
尚、図８に示す如く張り巡らした状態の各テープ４、４−１、４−２、４−３、・・・４−ｎは、設置面２４からの高さが全て同一のＨになるよう、錐体２，２−１、２−２、２−３、・・・２−ｎ及びこれらに嵌合されるキャップ３、３−１、３−２、３−３、・・・３−ｎに各々連結してある。
【００５７】
又、前記切り欠き１２、１２−１、１２−２、１２−３、・・・１２−ｎは、張り巡らしたテープ４、４−１、４−２、４−３、・・・４−ｎの前記高さＨが確保されるに充分な逃げの大きさに形成してある。
【００５８】
次に、本発明に係わる第二の実施例の構成を、図１１に従い説明する。
【００５９】
第二の実施例が、第一の実施例と異なるところは、キャップ３に代えてリング状体たる環体２５を用いた点のみである。
【００６０】
従って、第一の実施例に於けるキャップ３の各部に対応する第二の実施例の環体２５の各部には、キャップ３各部の記号に−aを付し、其の構成の説明を省略する。
【００６１】
又、環体２５以外の各部については、第一の実施例に於ける各部の記号を付して其の構成の説明を省略する。
【００６２】
以下本発明に係る第一の実施例の作用を、図１乃至図１０に従い詳細に説明する。
境界表示柵５を敷設するには、図７に示す如く敷設すべき設置面２４に、所定間隔で単位境界表示柵１，１−１、１−２、・・・・１−nを、所要数配置する。
【００６３】
次に、敷設された二番目の単位境界表示柵１−１に於けるキャップ３−１を錐体２−１から外すと共に、単位境界表示柵１−１近傍に仮置きする。
【００６４】
次いで、敷設された最初の単位境界表示柵１に於ける錐体２からキャップ３を、外すと共に、これを二番目の単位境界表示柵１−１方向に移動し、前記でキャップ３−１が外されている錐体２―１の頭部１０−１に嵌合させる。
【００６５】
ところで、前記の如くテープ４、４−１、４−２、４−３、・・・・４−ｎの一端１３は、錐体２、２−１、２−２、２−３、・・・・２−ｎに、又他端１５、１５−１、１５−２、１５−３、・・・・１５−ｎは、キャップ３，３−１、３−２、３−３、・・・・３−ｎに各々連結してある。
【００６６】
従って、図１に示す如く錐体２の外周に沿って垂下しているテープ４は、キャップ３に追従して一体的に移動し、図８に示す如く錐体２と、錐体２−１間に架設されることになる。
【００６７】
次いで、二番目の単位境界表示柵１−１の場合と同様、三番目の単位境界表示柵１−２に於けるキャップ３−２を、錐体２−２から外すと共に、単位境界表示柵１−２近傍に仮置きする。
【００６８】
次に、テープ４−１が、前記により錐体２−１に嵌合させてあるキャップ３の切り欠き１２を経るように、仮置きしておいたキャップ３−１を、錐体２−２方向に移動させる。
【００６９】
そして、最後にこのキャップ３−１を錐体２−２の頭部１０−２に嵌合させる。この結果、前記テープ４と同様、テープ４−１は、錐体２−１と錐体２−２間に架設される。
【００７０】
尚、テープ４、４−１、４−２、４−３、・・・４−ｎが、図２とは異なり図３に示す如く、巻きつけられている場合は、キャップ３−１、３−２、３−３、・・・３−ｎを、錐体２−１、２−２、２−３、・・・２−ｎ周りに周回させて巻き付けを解いた後に前記仮置きする。
無論、最初の錐体２の時は、テープ４の巻き付けを上記と同様の手法で解いたら、仮置きを経ず、直接錐体２−１の頭部１０−１にキャップ３を嵌合させることになる。
【００７１】
この様な過程を所要回数繰り返し、最後のキャップ３−ｎを最初の錐体２の頭部１０に嵌合し、第一の実施例に於ける境界表示柵５の敷設が完了する。
【００７２】
この完了時における各テープ４、４−１、４−２、４−３、・・・４−ｎの、設置面２４からの高さは全てＨであり、境界表示柵５全体は、均整が取れ、意匠的に優れたものになる。
【００７３】
尚、上記のような最初の錐体２の頭部１０に対し、最後の単位境界表示柵１−ｎに於けるキャップ３−ｎを嵌合させるという環状の無端敷設ではなく、直列的な有端敷設の場合は、次の敷設方法をとる。
【００７４】
即ち、設置面２４上の最後の単位境界表示柵１−nに於ける錐体２−ｎの次に、図１０に示す多用途錐体２０を立設し、該錐体２０の頭部２０Zに最後のキャップ３−nを嵌合して敷設を完了する。
【００７５】
この敷設の場合も、各テープ４、４−１、４−２、４−３、・・・４−ｎの、設置面２４からの高さは全てＨであり、境界表示柵５全体は、均整が取れ、意匠的に優れたものになる。
【００７６】
尚、上記敷設時の単位境界表示柵１、１−１、１−２、１−３、・・・１−ｎ間に架設したテープ４、４−１、４−２、４−３、・・・４−ｎの長さ調節は、其の余剰分を、キャップ３、３−１、３−２、３−３、・・・３−ｎと頭部１０、１０−１、１０−２、１０−３、・・・１０−ｎ間に生ずる嵌合孔１１、１１−１、１１−２、１１−３、・・・１１−ｎに貯留することにより調節する。
【００７７】
工事等の終了に伴い、敷設した境界表示柵５を解体するには、先の敷設とは逆の手順を辿るのであるが、単にキャップ３，３−１、３−２、３−３、・・・３−ｎの夫々を、元の頭部１０、１０−１、１０−２、１０−３、・・・１０−ｎに戻して嵌合するだけで、各単位境界表示柵１、１−１、１−２、１−３、・・・１−ｎを、図１及び、図２に示す敷設前の状態へ簡単に戻すことが出来る。
【００７８】
無論、先のキャップ３，３−１、３−２、３−３、・・・３−ｎの夫々を、元の頭部１０、１０−１、１０−２、１０−３、・・・１０−ｎに戻すという操作により、テープ４、４−１、４−２、４−３、・・・４−ｎの各々は、図７に示す如く錐体２、２−１、２−２、２−３、・・・・２−ｎの各外周に沿って垂下した状態に戻る。
【００７９】
尚、テープ４、４−１、４−２、４−３、・・・４−nの長さが大きく設定されている場合は、キャップ３、３−１、３−２、３−３、・・・３nを錐体２、２−１、２−２、２−３、・・・２−n周りに周回させて、図３に示す如く、テープ４、４−１、４−２、４−３、・・・４nを錐体２、２−１、２−２、２−３、・・・２−nに各々巻き付けてもよい。
【００８０】
このようにして、各単位境界表示柵１、１−１、１−２、１−３、・・・１−ｎを、図１、図２又は図３に示す状態に戻したら、図９及び図１０に示す如く、中空部９−１、９−２、９−３、・・・９−ｎを介し、単位境界表示柵１に単位境界表示柵１−１を、該表示柵１−１に単位境界表示柵１−２を、というように重ね置きをする。
【００８１】
この重ね置きの際、テープ４、４−１、４−２、４−３、・・・４−ｎ及びキャップ３，３−１、３−２、３−３、・・・３−ｎ、の夫々は、錐体２と錐体２−１との間、錐体２−１と錐体２−２との間、錐体２−２と錐体２−３との間、というように各錐体間の空隙２１に格納される。
【００８２】
この様に重ね置きした後、最上段に位置する最後の単位境界表示柵１−ｎには、図１０に示す如く、中空部２０Yを介して多用途錐体２０を被せる。
【００８３】
被せた多用途錐体２０は、上記最上段に位置する単位境界表示柵１−ｎに於けるテープ４−ｎの、揺動や予期せぬ引っ掛かけを防ぐ。
【００８４】
尚、上記の如く重ね置きされた単位境界表示柵１、１−１、１−２、１−３、・・・１−ｎの各基部１９、１９−１、１９−２、１９−３、・・・１９−ｎ間に形成されるウエートスペース２３には、必要に応じウエート２２を格納する。
【００８５】
次に、本発明に係わる第二の実施例の作用を、図１１に従い説明する。
環体２５は、実質的には前記第一の実施例に於けるキャップ３の上部を切除し、残る環状部分を環体２５としたものである。
【００８６】
そして、環体２５の上端から露出した錐体２の頭部１０を、敷設者が掴むことにより、単位境界表示柵１を容易に所望の場所へ移動させることが出来るようにしたものである。
【００８７】
上記以外の作用は、第一の実施例の作用と同様であるので、其の説明を省略する。
【００８８】
尚、これまで柔軟な帯状体として、テープを使用した場合について説明した。しかし、これに限定されるものでは無く、ロープ状のものでもよい。
【００８９】
又、上記各実施例では、キャップ又は環体を、錐体に緊結するための手段を設けていない。然しながら、例えば一方の錐体の外周に凹状の溝を形成し、他方のキャップ又は環体の内周面にキャップの補強を兼ねた凸条を形成し、この両者の係合により主体とキャップとの緊結を図ってもよい。
【００９０】
更に、第一の実施例の場合、キャップ頂部から錐体頭部にまで貫通する指挿入孔を形成し、該孔に挿入した指で、単位境界表示柵を所望場所への移動させるようにしてもよい。
【産業上の利用可能性】
【００９１】
本発明に係る境界表示柵を、工事現場に適用して説明したが、これに限らず、劇場、映画館、銀行、観光地、公園その他の公共施設に於いて、これらに立ち入る者や車両の、規制及び整理の途にも適用可能である。
【図面の簡単な説明】
【００９２】
【図１】本発明の第一の実施例に於ける境界表示柵の単位境界表示柵を示す縦断面図である。
【図２】本発明の第一の実施例に於ける、単位境界表示柵のテープ配設状態を示す正面図である。
【図３】本発明の第一の実施例に於ける、単位境界表示柵の別のテープ配設状態を示す正面図である。
【図４】本発明の第一の実施例に於ける、単位境界表示柵の頭部部分を、一部切開して示す部分図である。
【図５】本発明の第一の実施例に於ける、キャップとテープの連結状態を示すための、一部切開した部分図である。
【図６】本発明の第一の実施例に於ける、キャップとテープを固定金具で連結した状態を示す部分図である。
【図７】本発明の第一の実施例に於ける、敷設前、又は重ね置き前を示す境界表示柵の全体図である。
【図８】本発明の第一の実施例に於ける、境界表示柵の一部を示す拡大部分図である。
【図９】本発明の第一の実施例に於ける、単位境界表示柵を重ね置きし、一部切開した正面図である。
【図１０】本発明の第一の実施例に於ける、単位境界表示柵を重ね置き                  し、其の一部を拡大して示す部分拡大図である。
【図１１】本発明の第二の実施例に於ける、単位境界表示柵の上方部分のみを示す部分拡大図である。
【符号の説明】
【００９３】
１、１−１、１−２、１−３、・・・１−ｎ      単位境界表示柵
２、２−１、２−２、２−３、・・・２−ｎ      錐体
３、３−１、３−２、３−３、・・・３−ｎ      係止具たるキャップ
４、４−１、４−２、４−３、・・・４−ｎ      柔軟な帯状体たるテ
ープ
５、                                  
境界表示柵
６、６−１、６−２、６−３、・・・６−ｎ      底面
７、７−１、７−２、７−３、・・・７−ｎ      開口端
８、８−１、８−２、８−３、・・・８−ｎ      頂部
９、９−１、９−２、９−３、・・・９−ｎ      中空部
１０、１０−１、１０−２、１０−３・・・１０−n
頭部
１１、１１−１、１１−２、１１−３・・・１１−ｎ
嵌合孔
１２、１２−１、１２−２、１２−３・・・１２−n、１２−a

切り欠き
１３、１３−１、１３−２、１３−３、・・・１３−ｎ    
一端
１５、１５−１、１５−２、１５−３、・・・１５−ｎ      
他端
２１、２１−１、２１−２、２１−３、・・・２１−ｎ
空隙
２５、２５−１、２５−２、２５−３、・・・２５−ｎ      
係止具たる環体
【手続補正書】
【提出日】平成21年7月22日(2009.7.22)
【手続補正１】
【補正対象書類名】特許請求の範囲
【補正対象項目名】請求項１
【補正方法】変更
【補正の内容】
【請求項１】
底面の開口端から頂部近傍位置に至る中空部を形成した錐体と、
該錐体に底面から所定の高さで一端を連結すると共に、他端を切り欠きと前記錐体の頭部に嵌合可能な嵌合孔とを備えた係止具に連結した、柔軟な帯状体とから成る単位境界表示柵で構築した境界表示柵であって、
前記単位境界表示柵の、前記切り欠きは、前記嵌合孔を隣接する単位境界表示柵の錐体の頭部に嵌合した状態に於いて、前記隣接する単位境界表示柵の帯状体から逃げることができる大きさを有し、
前記中空部は、係止具を錐体の頭部に嵌合させた状態の同外形の別の単位境界表示柵の進入を許容する形状を成し、且つ、係止具を錐体の頭部に嵌合させた状態の単位境界表示柵を重ね置きした際、上下の錐体間の空隙に、前記帯状体の少なくも一部を、格納可能にするものであり、
前記単位境界表示柵を所定間隔で複数立設し、これらの単位境界表示柵のうち、最初の単位境界表示柵の係止具を、隣接する単位境界表示柵の錐体の頭部に嵌合させ、隣接する錐体間に帯状体を前記所定の高さで張って架設し、
以後、隣接する単位境界表示柵に対してこのような過程を所定回数繰り返して構築した境界表示柵。
【手続補正２】
【補正対象書類名】明細書
【補正対象項目名】００１４
【補正方法】変更
【補正の内容】
【００１４】
本発明の目的は、上記課題を解消した境界表示柵の提供にあり、請求項１の手段は、
「底面の開口端から頂部近傍位置に至る中空部を形成した錐体と、
該錐体に底面から所定の高さで一端を連結すると共に、他端を切り欠きと前記錐体の頭部に嵌合可能な嵌合孔とを備えた係止具に連結した、柔軟な帯状体とから成る単位境界表示柵で構築した境界表示柵であって、
前記単位境界表示柵の、前記切り欠きは、前記嵌合孔を隣接する単位境界表示柵の錐体の頭部に嵌合した状態に於いて、前記隣接する単位境界表示柵の帯状体から逃げることができる大きさを有し、
前記中空部は、係止具を錐体の頭部に嵌合させた状態の同外形の別の単位境界表示柵の進入を許容する形状を成し、且つ、係止具を錐体の頭部に嵌合させた状態の単位境界表示柵を重ね置きした際、上下の錐体間の空隙に、前記帯状体の少なくも一部を、格納可能にするものであり、
前記単位境界表示柵を所定間隔で複数立設し、これらの単位境界表示柵のうち、最初の単位境界表示柵の係止具を、隣接する単位境界表示柵の錐体の頭部に嵌合させ、隣接する錐体間に帯状体を前記所定の高さで張って架設し、
以後、隣接する単位境界表示柵に対してこのような過程を所定回数繰り返して構築した境界表示柵。」
にある。